(57)【要約】【課題】老人や認知症等の衣類を前後逆に穿いてしまう確率の高い人であっても、尿意をもよおしたときに、衣類に排尿用口を見つけられない不都合を一切解消することができる男性用衣類の提供を課題とする。【解決手段】男性が下半身に穿く男性用衣類であって、前身頃１１と後見頃１２のそれぞれに排尿用口２１ｃ、２２ｃを備え、前記排尿用口２１ｃ、２２ｃは前身頃１１と後見頃１２の各中央部に設けられ、上布２１ａ、２２ａと下布２１ｂ、２２ｂとによる左右からの重なり部の隙間として形成されている。【選択図】      図１
0003198831.tif 000002
【実用新案登録請求の範囲】
【請求項１】
男性が下半身に穿く男性用衣類であって、前身頃と後見頃のそれぞれに排尿用口を備え、前記排尿用口は前身頃と後見頃の各中央部に設けられ、上布と下布とによる左右からの重なり部の隙間として形成されていることを特徴とする男性用衣類。
【請求項２】
足の部分の丈が長いズボン下であることを特徴とする請求項１に記載の男性用衣類。
【請求項３】
足の部分の丈が長いズボン下はステテコであることを特徴とする請求項２に記載の男性用衣類。
【請求項４】
足の部分の丈が短いズボン下であることを特徴とする請求項１に記載の男性用衣類。
【請求項５】
パジャマのズボンであることを特徴とする請求項１に記載の男性用衣類。
【考案の詳細な説明】
【技術分野】
【０００１】
本考案は男性用衣類に関する。
【背景技術】
【０００２】
男性用のズボン等にはその前見頃に排尿用の口が設けられている。一方、男性がその下半身に穿く男性用衣類にも排尿用の口が備えられている場合が多い。ズボン等を脱ぐことなく容易に用を足すことができるようにするためである。
特に老人等においては、排尿を容易にできることが重要である。排尿をもよおしてきたときに、短時間で排尿準備が完了できなければ、尿漏れに至ってしまうことがある。
特開２０１４−１７３１９１号公報（特許文献１）には、尿漏れを起こしてしまった際に、その尿を速やかに吸収するようにし、ズボン等ににじんだりしないようにした下着が提供されている。
特開２０１１−１７４１９１号公報（特許文献２）には、男性用下着に関して、尿意をもよおしてきた際に、容易に素早く排尿準備ができるようにした操作具を排尿口付近に設けた男性用下着が提供されている。
【先行技術文献】
【特許文献】
【０００３】
【特許文献１】特開２０１４−１７３１９１号公報
【特許文献２】特開２０１１−１７４１９１号公報
【考案の概要】
【考案が解決しようとする課題】
【０００４】
上記特許文献１に開示の下着は、尿漏れが生じてしまった場合に備えた下着を提供するものではあるが、尿漏れそのものを回避し易くするものではない。
上記特許文献２に開示の男性用下着は、尿意をもよおした際に、素早く放尿準備に入ることができるものではあるが、下着を正しく穿いていることを前提とするものであり、下着を正しく着用していない場合には役に立たない。
老人や認知症等の人における１つの問題は、下着等の衣類を前後逆に穿いているのを気付かずに、その上にズボンを穿いてしまうことである。このような場合には、外出先において尿意をもよおした場合、間に合わなくなってしまう事態を招くことになる。
一番上に穿くズボンを前後逆に穿いたままにする人は少ない。一方、下着等の衣類は前後逆に穿いても、その上にズボン等を穿くと、そのまま気付かずにいる場合が多い。
また下着でも、ブリーフやトランクス等の場合は、直接肌に接する点及び短寸であることから、穿き具合が比較的わかり易く、逆に穿くことは少なく、また逆に穿いた場合も直ぐに気が付くことが多いと考えられる。その一方、ステテコ等のズボン下の場合は、直接には肌に接することが少なく、また長寸で弛んだりしていることから、前後を逆に穿き易く、また気付き難いと言える。
更にパジャマのズボンも、下着ではないが、老人等が前後逆に穿き易い衣類である。
これら従来における課題の根本には、排尿用の口は前見頃の１か所にあれば良いという固定概念に支配されていたことによるものであり、老人や認知症等の衣類を前後逆に穿くおそれのある人達の問題に関しては、全く考えが及ばなかったことによるものである。
【０００５】
そこで本考案は上記従来における問題を解消し、全く新しい機転と発想とを持って、老人や認知症等の衣類を前後逆に穿いてしまう確率の高い人であっても、尿意をもよおした際に、排尿用口を見つけられないといった不都合を一切解消することができる男性用衣類の提供を課題とする。
【課題を解決するための手段】
【０００６】
本考案の男性用衣類は、男性が下半身に穿く男性用衣類であって、前身頃と後見頃のそれぞれに排尿用口を備え、前記排尿用口は前身頃と後見頃の各中央部に設けられ、上布と下布とによる左右からの重なり部の隙間として形成されていることを第１の特徴としている。
また本考案の男性用衣類は、上記第１の特徴に加えて、足の部分の丈が長いズボン下であることを第２の特徴としている。
また本考案の男性用衣類は、上記第２の特徴に加えて、足の部分の丈が長いズボン下はステテコであることを第３の特徴としている。
また本考案の男性用衣類は、上記第１の特徴に加えて、足の部分の丈が短いズボン下であることを第４の特徴としている。
また本考案の男性用衣類は、上記第１の特徴に加えて、パジャマのズボンであることを第５の特徴としている。
【考案の効果】
【０００７】
請求項１に記載の男性用衣類によれば、前身頃と後見頃のそれぞれに排尿用口を備えているので、その衣類を穿こうとする者は、衣類の排尿用口をその都度確認することなく穿くことができる。従って、特に老人や認知症等の人或いは介護を要するような人にとって、彼是と手間と時間がかかることなく穿くことができるので、非常に便利である。
また後になって、衣類を前後逆に穿いていることがわかって難儀するようなことも確実になくなる。
勿論、介護者等にとっても、衣類を被介護者に穿かせる際の手間や確認作業を軽減することができるメリットがある。
【０００８】
加えて、排尿用口は前身頃と後見頃の各中央部に設けられているので、その衣類の前後の何れを前にして穿いても、排尿用口はいつも衣類の前の中央部に存在することになり、尿意をもよおした際にも準備が容易にできる。
一方、排尿用口の残る１つは、衣類の後の中央部に存在することになり、お尻側に対面することとなるが、排尿口は上布と下布とによる左右からの重なり部の隙間として形成されているため、該上布と下布との重なり部の存在によって、お尻が排尿用口の所で露出することもない。
【０００９】
請求項２に記載の男性用衣類によれば、上記請求項１に記載の構成による作用効果に加えて、足の部分の丈が長いズボン下であるので、特に排尿用口の位置が分かり難くて穿き間違え易く且つ穿き間違えた際に気づき難い長いズボン下であっても、穿き間違い、穿かせ間違い等による難儀を一掃することができる。
請求項３に記載の男性用衣類によれば、上記請求項２に記載の構成による作用効果に加えて、足の部分の丈が長いズボン下はステテコであるので、使用頻度の高い老人等にとって、前身頃と後見頃に排尿用口のあるステテコはその利便性が高い。
【００１０】
請求項４に記載の男性用衣類によれば、上記請求項１に記載の構成による作用効果に加えて、足の部分の丈が短いズボン下であるので、ブリーフやトランクス等の短寸の衣類（下着）における前後の穿き間違え、穿かせ間違いによる難儀が解消できる。
【００１１】
請求項５に記載の男性用衣類によれば、上記請求項１に記載の構成による作用効果に加えて、パジャマのズボンであるので、パジャマのズボンの前後を穿き間違える人が多いという現状において、そのような人にとっての難儀を明快に解消することができる。
【００１２】
以上、本考案の構成、及び作用効果は、排尿用口は１つという昔からの固定概念を正に覆した発想の転換によるものであり、今まで衣類の業界において、このような発想に基づく男性用衣類が巷に出回ったことがない。そして本願の出願日以降において、この考案に基づく男性用衣類が老人や介護に関連する業界において大いに出回り、その作用効果を大いに発揮することになる。
【図面の簡単な説明】
【００１３】
【図１】本考案に係る男性用衣類の実施形態であるステテコの全体斜視図である。
【図２】本考案に係る男性用衣類の実施形態であるステテコに関し、（Ａ）は平面図、（Ｂ）は左側面図、（Ｃ）は正面図、（Ｄ）は右側面図、（Ｅ）は背面図を示す。
【図３】従来の男性用衣類の例としてのステテコの全体斜視図である。
【考案を実施するための形態】
【００１４】
以下の図面を参照して、本考案の実施形態に係るステテコを説明し、本考案の理解に供する。しかし、以下の説明は本考案の実用新案登録請求の範囲に記載の考案を限定するものではない。
【００１５】
先ず図３を参照して、図３に示すステテコ１は従来のステテコである。ステテコの前見頃に排尿用口１ａが設けられている。尻部に対応する後見頃には排尿用口は設けられていない。
【００１６】
図１、図２を参照して、本考案に係るステテコ１０には、その前見頃１１と後見頃１２の両方に、排尿用口部２１、２２がそれぞれ設けられている。前記前見頃１１と後見頃１２については、ステテコ１０自体がその前後において同一である場合は、何れが前身頃１１で何れが後見頃１２であるという概念も生じない。
【００１７】
前記排尿用口部２１、２２は、それぞれ前見頃１１と後見頃１２の中央に備えられている。
前見頃１１の排尿用口部２１は、上布２１ａと下布２１ｂとが左右から重ねられて構成され、その上布２１ａと下布２１ｂとの重なり部の隙間が排尿用口２１ｃとして構成されている。
同様に、後見頃１２の排尿用口部２２も、上布２２ａと下布２２ｂとが左右から重ねられることで構成され、その上布２２ａと下布２２ｂとの重なり部の隙間を排尿用口２２ｃとしている。
【００１８】
前記前見頃１１の排尿用口２１ｃは、具体的には前見頃１１の中央部に設けられ、縦方向に所定の長さが確保された重ね合わせ口として存在する。
また前記後見頃１２の排尿用口２２ｃは、具体的には前記後見頃１２の中央部に設けられ、縦方向に所定の長さが確保された重ね合わせ口として存在する。
なお、１３は胴部開口、１４、１５は足部開口である。
【００１９】
今、老人や認知症の人或いは要介護者等、衣類の前後を間違え易い人が、このステテコ１０をズボン下として穿く場合には、その前後を何ら意識して穿く必要はなく、２本の足が分かれて足部開口１４、１５に入りさえすれば、全て良しとなる。そして後に尿意をもよおした場合において、前後の履き違えの難儀に遭遇することが完全に回避できる。
同様に、介護者がその対象者にこのステテコ１０を穿かせる場合においても、ステテコ１０の前後を確認する必要が無いので、素早く穿かせることができ、被着時に対象者を疲れさせることもなくなる。
【００２０】
以上の実施形態では、ステテコを例にとって説明したが、他の種類のズボン下の場合も同様であり、本考案の範囲内である。また形式として足の部分の長いズボン下について説明したが、足の部分の長さは、短いもの、中間長さのものも同様であり、本考案の範囲内である。
またブリーフやトランクス等の肌に直接接する肌着としての衣類の場合にも、同様に上記した構成や作用効果が適用されることは当然であり、本考案の範囲に含まれる。
ただし、前後を逆に穿くことによって、尿意をもよおした場合に一番難儀になり易いのは、足の部分の長いものということができる。また間違って穿き易いのは、足の部分が長いもので、ズボン下として、肌着とズボンとの中間に穿くものである。従って、そのような穿き間違いによる難儀の可能性が大きいものに対して、本考案による効果がより大きいと言える。
更に下着ではないが、パジャマのズボンの場合も同様である。パジャマのズボンの場合も老人や認知症等の人がその前後を間違って穿き易い衣類である。パジャマのズボンの前見頃と後見頃との両方に排尿用口を設けることにより、老人や認知症の人にとっての難儀を一掃することができる。パジャマのズボンも、男性が下半身に穿く男性用衣類であって、本考案の範囲内に入る衣類である。
【産業上の利用可能性】
【００２１】
本考案の男性用衣類は、老人や認知症の人、要介護の人等の衣類として、産業上の利用可能性が大きい。
【符号の説明】
【００２２】
１０          ステテコ
１１          前見頃
１２          後見頃
１３          胴部開口
１４          足部開口
１５          足部開口
２１          排尿用口部
２１ａ        上布
２１ｂ        下布
２１ｃ        排尿用口
２２          排尿用口部
２２ａ        上布
２２ｂ        下布
２２ｃ        排尿用口
【図１】
0003198831.tif 000003
【図２】
0003198831.tif 000004
【図３】
0003198831.tif 000005